(57)【要約】      （修正有）【課題】デザイン性を大幅に向上した木製ランプシェードを提供する。【解決手段】ランプ光を透過させることによって木目模様が浮かび上がるようにした木製ランプシェードであって、０．５ｍｍ〜１．０ｍｍの範囲内の厚みであってランプの光を透過し得る厚みを有する１枚の木製薄板を横断面円形状、横断面楕円形状、複数の円弧状を連続させてなる横断面複合円弧状又は横断面多角形状に折り曲げることによって製作されたシェード本体１０と、一端に切り口を有し軸線方向に沿って延びるスリットが形成され、スリットに木製薄板の端部の重畳部分又は周方向の途中が嵌め込まれることによってシェード本体の形状を保持する複数の棒状ホルダー１１と、棒状ホルダーを縦にして上記スリットの切り口部分が取付けられることによって、上記シェード本体を吊下げ状態又は起立状態に保持するベース１２と、を備える。【選択図】図１
2015088395.tif 000002
【特許請求の範囲】
【請求項１】
ランプ光を透過させることによって木目模様が浮かび上がるようにした木製ランプシェードであって、
０．５ｍｍ〜１．０ｍｍの範囲内の厚みであってランプの光を透過し得る厚みを有する１枚の木製薄板を横断面円形状、横断面楕円形状、複数の円弧状を連続させてなる横断面複合円弧状、又は横断面多角形状に折り曲げることによって製作されたシェード本体（１０）と、
一端に切り口を有し軸線方向に沿って延びるスリット（１１Ａ）が形成され、該スリット（１１Ａ）に上記木製薄板の端部の重畳部分又は上記木製薄板の周方向の途中が嵌め込まれることによって上記シェード本体（１０）の形状を保持する複数の棒状ホルダー（１１）と、
該棒状ホルダー（１１）を縦にして上記スリット（１１Ａ）の切り口部分が取付けられることによって、上記シェード本体（１０）を吊下げ状態又は起立状態に保持するベース（１２）と、
を備えたことを特徴とする木製ランプシェード。
【請求項２】
上記木製薄板が杉、檜、欅の群から選ばれる材料を用いて製作されている請求項１記載の木製ランプシェード。
【請求項３】
上記ベース（１２）にランプ（２０）が取付けられる請求項１記載の木製ランプシェード。
【発明の詳細な説明】
【技術分野】
【０００１】
本発明は木製ランプシェードに関し、特にデザイン性を大幅に向上できるようにしたランプシェードに関する。
【背景技術】
【０００２】
最近、装飾的効果によって住環境に所望の雰囲気を与えるために、デザイン性を重視した照明器具が提案される傾向にある。
【０００３】
例えば、複数枚の木製薄板を積層して接着し、積層板を雄型と雌型で挟んで保持し、積層板を所定の形状に湾曲させるようにした木製ランプシェードが提案されている（特許文献１）。
【０００４】
また、樹幹を輪切りにして蓋と胴部とを形成し、胴部は底壁を残して内部をくり抜き、胴部の周壁に複数の貫通孔を穿孔して胴部にランプを内蔵し、胴部の周囲に光を点状に放射させるようにした木製ランプシェードが提案されている（特許文献２）。
【先行技術文献】
【特許文献】
【０００５】
【特許文献１】特開平０５−３０５６０２号公報
【特許文献２】特開２００８−３７５００号公報
【発明の開示】
【発明が解決しようとする課題】
【０００６】
しかし、特許文献１記載の木製ランプシェードではシェードの木目模様がシェードの外観に現れているので、昼間にはシェードの木目模様によって装飾的効果が期待できるものの、薄板が積層されて肉厚が厚いので、夜間にはランプの光が十分にシェードを透過できず、シェードの木目模様を視認し難い。
【０００７】
特許文献２記載の木製ランプシェードでは樹幹の外観がそのまま現れているので、自然の雰囲気が得られるが、ランプの光は貫通孔を通って周囲に放射されるものの、シェードを全く透過できず、夜間にはシェードの木目模様を視認し難い。
【０００８】
本発明はかかる問題点に鑑み、デザイン性を大幅に向上できるようにした木製ランプシェードを提供することを課題とする。
【課題を解決するための手段】
【０００９】
そこで、本発明に係る木製ランプシェードは、ランプ光を透過させることによって木目模様が浮かび上がるようにした木製ランプシェードであって、０．５ｍｍ〜１．０ｍｍの範囲内の厚みであってランプの光を透過し得る厚みを有する１枚の木製薄板を横断面円形状、横断面楕円形状、複数の円弧状を連続させてなる横断面複合円弧状又は横断面多角形状に折り曲げることによって製作されたシェード本体と、一端に切り口を有し軸線方向に沿って延びるスリットが形成され、該スリットに上記木製薄板の端部の重畳部分又は上記木製薄板の周方向の途中が嵌め込まれることによって上記シェード本体の形状を保持する複数の棒状ホルダーと、該棒状ホルダーを縦にして上記スリットの切り口部分が取付けられることによって、上記シェード本体を吊下げ状態又は起立状態に保持するベースと、を備えたことを特徴とする。
【００１０】
本発明の特徴の１つは、０．５ｍｍ〜１．０ｍｍの範囲内の厚みであってランプの光を透過し得る厚みを有する１枚の木製薄板を用いてシェード本体を製作するようにした点にある。
【００１１】
これにより、ランプの光がシェード本体を透過することによって、シェード本体の木目模様が浮かび上がり、これを見る者に幻想的な印象を与え、照明器具のデザイン性を大幅に向上できる。
【００１２】
上述のように、０．５ｍｍ〜１．０ｍｍの厚みの１枚の木製薄板を用いてシェード本体を製作すると、シェード本体の強度が確保できず、しかもシェードの形状を保持できないおそれがある。
【００１３】
これに対し、本願発明で棒状ホルダーのスリットに木製薄板を嵌め込むようにしたので、シェード本体に加わる衝撃を棒状ホルダーが受け持つことができ、シェード本体の形状を保持できるとともに、強度不安を解消できる。
【００１４】
ここで、木製薄板の厚みを０．５ｍｍ〜１．０ｍｍの範囲内としたのは、０．５ｍｍ未満の厚みではたとえ棒状ホルダーによって衝撃を受け持つようにしてもシェードの強度を確保できず、１．０ｍｍを越えると、十分な量のランプの光がシェード本体を透過できず、木目模様を美しく浮き上がらせることが難しいからである。
【００１５】
木製薄板の材質は特に限定されないが、木目模様の美しい杉、檜、欅の群から選ばれる材料を用いて製作されるのがよい。
【００１６】
棒状ホルダー及びベースの材料は特に限定されず、木、竹、プラスチック、金属材料、その他の材料を用いることができるが、シェード本体が木製薄板で製作されていることを考慮すると、木や竹が見栄えの点で好ましい。
【００１７】
ランプは天井から直接吊り下げたり、床面に起立するロッドの先端に取付けてもよいが、本発明ではシェード本体を保持するベースを備えているので、このベースにランプを取付けるようにするのがよい。
【００１８】
なお、本発明でいう「ランプ」とは必要な場合には通電回路、変圧器あるいと安定器なども含む灯具を意味することもある。また、ランプは白熱灯や蛍光灯でもよいが、木製薄板の耐熱変形性を考慮すると、ランプはＬＥＤランプを用いるのが好ましい。
【図面の簡単な説明】
【００１９】
【図１】ランプを備えた本発明の木製ランプシェードの好ましい実施形態を示す下方からの斜視図である。
【図２】上記実施形態を示す上方からの斜視図である。
【図３】上記実施形態を示す分解斜視図である。
【図４】第２の実施形態を示す斜視図である。
【図５】第３の実施形態を示す斜視図である。
【図６】第４の実施形態を示す斜視図である。
【発明を実施するための形態】
【００２０】
以下、本発明を図面に示す具体例に基づいて詳細に説明する。図１ないし図３は本発明に係る木製ランプシェードの好ましい実施形態を示す。図において、木製ランプシェードはシェード本体１０、２本の棒状ホルダー１１、ベース１２及び抜止めピン１３から構成されている。
【００２１】
シェード本体１０は０．５ｍｍ〜１．０ｍｍの範囲内の厚み、例えば０．６ｍｍの厚みの杉、檜又は欅の１枚の帯状の薄板を横断面円形状に折り曲げて製作されている。
【００２２】
他方、棒状ホルダー１１は杉、檜又は欅の横断面矩形状の棒材を用いて製作され、棒状ホルダー１１の一端にはスリット１１Ａの切り口が形成され、スリット１１Ａは棒状ホルダー１１の他端手前まで延設されている。
【００２３】
一方の棒状ホルダー１１のスリット１１Ａには横断面円形状に折り曲げられたシェード本体１０の端部の重畳部分１０Ａが嵌め込まれ、他方の棒状ホルダー１１１のスリット１１Ａにはシェード本体１０の周方向の途中、具体的には重畳部分１０Ａに対向する部分１０Ｂが嵌め込まれている。
【００２４】
また、ベース１２は杉、檜又は欅の平板を用いて製作され、両端部には取付け穴１２Ａが穿設され、取付け穴１２Ａにはシェード本体１０がセットされた棒状ホルダー１１の切り口から差し込まれ、棒状ホルダー１１の抜止め孔１１Ｂに抜止めピン１３を差し込むことによって抜け止めされている。
【００２５】
ベース１２の中央には取付け凹部１２Ｂが形成され、取付け凹部１２ＢにはＬＥＤランプ２０の通電線２１が挿通され、ＬＥＤランプ２０の受け具がベース１２の取付け凹部１２Ｂの周縁下面に当接されることによってＬＥＤランプ２０がベース１２に取付けられ、通電線２１は例えば天井側の接続具（図示せず）に接続されることによって照明器具が吊り下げられるようになっている。
【００２６】
以上のような本例の木製ランプシェードでは０．５ｍｍ〜１．０ｍｍの範囲内の厚みであってＬＥＤランプ２０の光を透過し得る厚みを有する１枚の木製薄板を用いてシェード本体１０を製作するようにしたので、十分な量のＬＥＤランプ２０の光がシェード本体１０を透過することができ、これによってシェード本体１０の木目模様が浮かび上がり、これを見る者に幻想的な印象を与えることができる。
【００２７】
また、棒状ホルダー１１のスリット１１Ａに木製薄板を嵌め込むようにしたので、シェード本体１０に加わる衝撃を棒状ホルダー１１で負担することができ、シェード本体１０の形状を保持できるとともに、強度不安を解消できる。
【００２８】
図４は第２の実施形態を示し、図において図１ないし図３と同一符号は同一又は相当部分を示す。本例ではシェード本体１０を２つの部材から構成し、４本の棒状ホルダー１１によってシェード本体１０を保持する一方、棒状ホルダー１１を井桁形状の上下のベース１２に取付けるようにしている。
【００２９】
図５は第３の実施形態を示し、図において図１ないし図４と同一符号は同一又は相当部分を示す。本例では木製の棒状ホルダーに代え、竹製の棒状ホルダー１１を使用し、又第２の実施形態における下側ベース１２を用いてないこと以外は、第２の実施形態と同様である。
【００３０】
図６は第４の実施形態を示し、図において図１ないし図５と同一符号は同一又は相当部分を示す。本例ではシェード本体１０を曲率（曲がりの程度）が中央部１０Ｂから両端部１０Ａに向けて次第に小さくなるように複数の円弧状を連続させてなる横断面複合円弧状に折り曲げることによって製作され、両端は魚の尾ひれ状に重ねられ、棒状ホルダー１１によって保持されている以外、第１の実施形態と同様である。
【符号の説明】
【００３１】
１０        シェード本体
１０Ａ      重畳部
１０Ｂ      周方向の途中部分
１１        棒状ホルダー
１１Ａ      スリット
１１Ｂ      抜止め孔
１２        ベース
１２Ａ      取付け穴
１２Ｂ      取付け凹部
１３        抜止めピン
２０        ＬＥＤランプ
２１        通電線
【図１】
2015088395.tif 000003
【図２】
2015088395.tif 000004
【図３】
2015088395.tif 000005
【図４】
2015088395.tif 000006
【図５】
2015088395.tif 000007
【図６】
2015088395.tif 000008